(57)【要約】【課題】刃物で切れ難い難切断性を有すると共に、加工も比較的容易な難切断性布地及びこれを用いた防犯用衣類を提供する。【解決手段】難切断性布地は、パラ系全芳香族ポリアミドからなる刃物で切れ難い難切断性繊維と、通常の繊維とを織り合わせたものである。防犯用の制服１０は、通常の綿等の繊維で形成された布地製の本体１１と、難切断性の布地で形成された裏地１２とにより構成されている。また、本体１１も、難切断性布地製とすることができる。また、難切断性布地として、パラ系全芳香族ポリアミドからなる難切断性繊維を網目状に編んだものでもよく、さらに耐腐蝕性と高引張強度を有する金属細線と、通常の繊維とを織り合わせたものであってもよい。【選択図】    図１
2005060851.tif 000002
【特許請求の範囲】
【請求項１】
材質がパラ系全芳香族ポリアミドからなる刃物で切れ難い難切断性繊維と、通常の繊維とを織り合わせてなることを特徴とする難切断性布地。
【請求項２】
前記請求項１に記載の難切断性布地を衣類の裏地としたことを特徴とする防犯用衣類。
【請求項３】
前記請求項１に記載の難切断性布地を用いて製造されたことを特徴とする防犯用衣類。
【請求項４】
材質がパラ系全芳香族ポリアミドからなる刃物で切れ難い難切断性繊維を網目状に編み合わせてなることを特徴とする難切断性布地。
【請求項５】
前記請求項４に記載の難切断性布地を衣類の裏地としたことを特徴とする防犯用衣類。
【請求項６】
通常の繊維と、耐腐蝕性と高引張強度を有する金属細線とを織り合わせてなることを特徴とする難切断性布地。
【請求項７】
前記請求項６に記載の難切断性布地を衣類の裏地としたことを特徴とする防犯用衣類。
【発明の詳細な説明】
【０００１】
【発明の属する技術分野】
本発明は、刃物で切れ難い難切断性布地及びこれを用いた防犯用衣類に関する。
【０００２】
【従来の技術】
近年、コンビニエンスストア等の小売店や、銀行等の金融機関あるいは市街地において、刃物を用いた強盗等の凶悪事件が多発している。通常の繊維は、刃物で容易に切断されるため、これを用いた通常の衣類は、刃物に対しては無防備状態となっている。これに対して、近年、刃物により非常に切断され難い繊維として、防護繊維摩擦材アスベスト代替のパラ系全芳香族ポリアミド繊維（商品名ケプラ：デュポン社製）が開発されている。しかし、この繊維は非常に高価であり、通常の衣類に利用するためには、コスト面で困難である。また、繊維自体が刃物で非常に切断されにくいため、衣類の製造に手間取るという問題もある。
【０００３】
【発明が解決しようとする課題】
本発明は、上記した問題を解決しようとするもので、刃物で切れ難い難切断性を有すると共に、加工も比較的容易な難切断性布地及びこれを用いた防犯用衣類を提供することを目的とする。
【０００４】
【課題を解決するための手段】
上記目的を達成するために上記請求項１の発明の構成上の特徴は、材質がパラ系全芳香族ポリアミドからなる刃物で切れ難い難切断性繊維と、通常の繊維とを織り合わせてなる難切断性布地にある。
【０００５】
上記のように構成した請求項１の発明においては、布地が、パラ系全芳香族ポリアミドからなる刃物で切れ難い難切断性繊維と、通常の繊維とを織り合わせたものであるため、布地全体として刃物による切れ難さが通常の布地に比べて格段に高められる。また、難切断性繊維が、布地の一部を占めるのみなので、全体が難切断性繊維の場合に比べて安価に提供される。さらに、難切断性繊維が、布地の一部を占めるのみなので、布地の加工も、全体が難切断性繊維の場合に比べて容易に行われる。
【０００６】
また、上記請求項２の発明の構成上の特徴は、前記請求項１に記載の難切断性布地を衣類の裏地とした防犯用衣類にある。このように、上記難切断性布地で衣類の裏地を形成したことにより、刃物で切り付けられても、刃物による衣類の切断が裏地によって止められる。そのため、衣類着用者の身体の安全が高められる。また、高価な布地が衣服の一部である裏地のみでよいため、衣服のコスト上昇が抑えられ、コンビニエンスストア等における従業員用の制服等の裏地として簡易に使用が可能になる。また、通常の材質の布地に比べて布地の加工は困難であるが、通常は目立ち難い裏地であるため、加工が多少ラフでも目立ち難い利点がある。
【０００７】
また、上記請求項３の発明の構成上の特徴は、前記請求項１に記載の難切断性布地を用いて製造された防犯用衣類にある。このように、上記難切断性布地で衣類を製造したことにより、刃物で切り付けられても、刃物による衣類全体の切断が確実に妨げられる。そのため、衣類の価格が通常の衣類に比べて高価になるが、衣類着用者の身体の安全がさらに高められる。また、通常の材質の布地に比べて布地の加工は困難であるが、通常の繊維との織り合わせであるため、加工の困難さも抑えられる。
【０００８】
また、上記請求項４の発明の構成上の特徴は、材質がパラ系全芳香族ポリアミドからなる刃物で切れ難い難切断性繊維を網目状に編み合わせてなる難切断性布地にある。
【０００９】
上記のように構成した請求項４の発明においては、布地が、パラ系全芳香族ポリアミドからなる刃物で切れ難い難切断性繊維を網目状に編んだものであるため、布地全体として刃物による切れ難さが通常の布地に比べて高められる。さらに、布地の目が網目状で荒いために、布地が伸縮し易く力を吸収しやすいため、刃物による布地の切断がさらに困難にされる。また、難切断性繊維が網目状に編まれており布地の密度が低いため、難切断性繊維を織った布地に比べて安価に提供される。さらに、難切断性繊維の密度が低いため、布地の加工も、難切断性繊維を織った布地に比べて容易に行われる。
【００１０】
また、上記請求項５の発明の構成上の特徴は、前記請求項４に記載の難切断性布地を衣類の裏地とした防犯用衣類にある。このように、上記難切断性布地で衣類の裏地を形成したことにより、刃物で切り付けられても、刃物による衣類の切断が裏地によって止められる。そのため、衣類着用者の身体の安全が高められる。また、高価な布地が衣服の一部である裏地のみでよいため、衣服のコスト上昇が抑えられ、コンビニエンスストア等における従業員の制服等の裏地として簡易に使用が可能になる。また、通常の材質の布地に比べて布地の加工は困難であるが、通常は目立ち難い裏地であるため、加工が多少ラフでも目立ち難い利点がある。
【００１１】
また、上記請求項６の発明の構成上の特徴は、通常の繊維と、耐腐蝕性と高引張強度を有する金属細線とを織り合わせてなる難切断性布地にある。このように、布地が、耐腐蝕性と高引張強度を有する金属細線を含んだものであるため、布地全体として刃物による切れ難さが通常の布地に比べて高められる。また、金属細線が、布地の一部を占めるのみなので、布地の加工も、全体が金属細線の場合に比べて容易に行われる。
【００１２】
また、上記請求項７の発明の構成上の特徴は、前記請求項７に記載の難切断性布地を衣類の裏地とした防犯用衣類にある。このように、上記難切断性布地で衣類の裏地を形成したことにより、刃物で切り付けられても、刃物による衣類の切断が裏地によって止められる。そのため、衣類着用者の身体の安全が高められる。また、高価な布地が衣服の一部である裏地のみでよいため、衣服のコスト上昇が抑えられ、コンビニエンスストア等の制服の裏地として簡易に使用が可能になる。また、通常の材質の布地に比べて布地の加工は困難であるが、通常は目立ち難い裏地であるため、加工が多少ラフでも目立ち難い利点がある。
【００１３】
【発明の実施の形態】
以下、本発明の一実施の形態について図面を用いて説明する。図１は、第１実施形態であるコンビニエンスストア等において防犯用として使用される従業員用の制服について、それを広げた状態を正面図及び平面図により示したものである。制服１０は、通常の綿等の繊維で形成された布地製の本体１１と、難切断性布地で形成された裏地１２とにより構成されている。難切断性生地としては、例えば材質がパラ系全芳香族ポリアミドからなる商品名「ケプラ」（デュポン社製）として知られている刃物で切れ難い難切断性繊維と、通常の繊維とを織り合わせたものである。
【００１４】
このように、難切断性繊維と、通常の繊維とを織り合わせた布地を防犯用の制服１０の裏地１２としたことにより、刃物で切り付けられても、刃物による衣類全体の切断が裏地１２によって食い止められ、制服１０全体として刃物による切れ難さが通常の衣類に比べて格段に高められる。そのため、衣類着用者の身体の安全が高められる。また、高価な布地が制服１０の一部である裏地１２のみでよいため、制服１０のコスト上昇が抑えられ、制服等に簡易に使用することができる。
【００１５】
また、通常の材質の布地に比べて布地の加工は困難であるが、使用箇所が目立ち難い衣類の裏地１２なので加工が多少ラフでも問題になり難い。また、難切断性繊維が、布地の一部を占めるのみなので、全体が難切断性繊維の場合に比べて安価に提供される。さらに、難切断性繊維が、布地の一部を占めるのみなので、布地の加工も、全体が難切断性繊維の場合に比べて容易に行われる。
【００１６】
つぎに、第２実施形態としては、図１に示す本体１１全体が、パラ系全芳香族ポリアミドからなる刃物で切れ難い難切断性繊維と、通常の繊維とを織り合わせた布地で形成されたものである。これにより、第１実施形態のように、裏地１２のみを難切断性の布地とした場合より、衣類の価格が高価になるが、難切断性の効果が得られる範囲が衣類全体に広げられる。そのため、刃物で切り付けられても、刃物による衣類の切断がより確実に妨げられ、衣類着用者の身体の安全が一層高められる。
【００１７】
つぎに、第３実施形態としては、難切断性布地として、パラ系全芳香族ポリアミドからなる刃物で切れ難い難切断性繊維を網目状に編み合わせたものである。このように、難切断性繊維を網目状に編んだことにより、布地全体として刃物による切れ難さが通常の布地に比べて高められると共に、布地の目が荒いために、布地が伸縮し易く力を吸収しやすいため、刃物による布地の切断がさらに困難にされる。また、難切断性繊維が網目状になっているため、布地の密度が低いため、難切断性繊維を織った場合に比べて安価に提供される。さらに、難切断性繊維の密度が低いため、布地の加工も、難切断性繊維を織った場合に比べて容易に行われる。
【００１８】
また、難切断性繊維を網目状に編んだ布地を防犯用衣類の裏地とすることによっても、上記第１実施形態に示したと同様に、刃物で切り付けられても、刃物による衣類全体の切断が裏地によって食い止められ、衣類全体として刃物による切れ難さが通常の衣類に比べて格段に高められる等の効果が得られる。
【００１９】
なお、上記第１から第３実施形態では、パラ系全芳香族ポリアミドからなる刃物で切れ難い難切断性繊維と通常の繊維とを織り合わせた布地、あるいは難切断性繊維を編んだ布地を、防犯用衣類の裏地あるいは衣類全体に用いた場合について説明したが、この布地自体も本発明の範囲にある。また、この難切断性布地を、衣服のみでなく、手袋、エプロン等の衣類全般に使用することができる。
【００２０】
つぎに、第４実施形態としては、難切断性布地として、通常の繊維と、耐腐蝕性と高引張強度を有する金属細線とを織り合わせたものである。金属細線としては、ピアノ線のように炭素を多く含んだ炭素鋼等がある。このように、通常の繊維と金属細線を織り合わせたことにより、布地全体として刃物による切れ難さが通常の布地に比べて高められる。また、金属細線が布地の一部にのみ用いられているため、布地の加工も比較的容易に行われる。また、この難切断性の布地を防犯用衣類の裏地とすることによっても、上記第１実施形態に示したと同様に、刃物で切り付けられても、刃物による衣類全体の切断が裏地によって食い止められ、衣類全体として刃物による切れ難さが通常の衣類に比べて格段に高められる等の効果が得られる。なお、この難切断性布地についても、衣服のみでなく、手袋、エプロン等の衣類全般に使用することができる。
【００２１】
【発明の効果】
本発明によれば、材質がパラ系全芳香族ポリアミドからなる刃物で切れ難い難切断性繊維と通常の繊維とを織り合わせ、この難切断性繊維を網目状に編み、あるいは耐腐蝕性と高引張強度を有する金属細線と通常の繊維とを織り合わせる等により、難切断性布地として、刃物による切れ難さが通常の布地に比べて格段に高められる。また、難切断性繊維が布地の一部を占める等により比較的安価に提供され、さらに、布地の加工も比較的容易に行われる。
【００２２】
また、このような難切断性布地を衣類の裏地としたことにより、刃物で切り付けられても、刃物による衣類全体の切断が裏地によって食い止められる。そのため、衣類着用者の身体の安全が高められる。また、高価な布地が衣服の一部である裏地のみでよいため、衣服のコスト上昇が抑えられ、簡易な使用が可能になる。また、通常の材質の布地に比べて布地の加工は困難であるが、裏地なので加工が多少ラフでも目立ち難い。
【００２３】
また、材質がパラ系全芳香族ポリアミドからなる刃物で切れ難い難切断性繊維と、通常の繊維とを織り合わせた難切断性布地で衣類を製造したことにより、刃物で切り付けられても、刃物による衣類全体の切断が確実に妨げられる。そのため、衣類の価格が通常の衣類に比べて高価になるが、衣類着用者の身体の安全がさらに高められる。また、通常の材質の布地に比べて布地の加工は困難であるが、通常の繊維との織り合わせであるため、加工の困難さも抑えられる。
【図面の簡単な説明】
【図１】本発明の第１実施形態である防犯用衣類を示す正面図である。
【符号の説明】
１０…防犯用衣類、１１…本体、１２…裏地。
【図１】
2005060851.tif 000003